(57)【要約】【課題】本発明は、足回りと立体ギャザーとの隙間ができないように立体ギャザーのフィット性を高めるとともに、足が滑らかに動かせる吸収性物品を提供することにある。【解決手段】表面シート１と、裏面シート２と、両シート間に挟まれた吸収体３とを有する吸収性本体４と、前記吸収性本体４の幅方向の両側で長手方向に配された起立可能な一対の立体ギャザー４１、４１とを備えた吸収性物品であって、前記一対の立体ギャザー４１、４１は、それぞれの外側に、凹部４５と凸部４６とが前記長手方向および前記立体ギャザー４１の幅方向に交互に繰り返し配された凹凸領域４４を有し、前記凸部４６を構成する不織布の繊維が前記長手方向に配向していて、前記凹凸領域４４は、前記吸収性物品の着用時に着用者の股下部が位置する前記吸収性物品の中間部Ｃに少なくとも配されている吸収性物品を提供する。【選択図】図１
2017118960.tif 000002
【特許請求の範囲】
【請求項１】
液透過性の表面シートと、裏面シートと、両シート間に挟まれた吸収体とを有する吸収性本体と、前記吸収性本体の幅方向の両側で長手方向に配された起立可能な一対の立体ギャザーとを備えた吸収性物品であって、
前記一対の立体ギャザーは、それぞれの外側に、凹部と凸部とが前記長手方向および前記立体ギャザーの幅方向に交互に繰り返し配された凹凸領域を有し、
前記凸部を構成する不織布の繊維が前記長手方向に配向していて、
前記凹凸領域は、前記吸収性物品の着用時に着用者の股下部が位置する前記吸収性物品の長手方向中間部に少なくとも配されている吸収性物品。
【請求項２】
前記凸部が千鳥配置に配されている請求項１に記載の吸収性物品。
【請求項３】
前記立体ギャザーの両端部よりさらに前記長手方向のそれぞれの領域と前記表面シートとが固定されている立体固定領域の前記長手方向の間に、前記凹凸領域が配されている請求項１または２に記載の吸収性物品。
【請求項４】
前記立体ギャザーが伸ばされた状態で、前記凸部の高さは、前記立体ギャザーの幅方向における起立端部側から起立基部側向かって順次高くなっている請求項１から３のいずれか１項に記載の吸収性物品。
【請求項５】
前記凹凸領域は、前記立体ギャザーの起立端部側の１／２の領域に配されている請求項１から４のいずれか１項に記載の吸収性物品。
【請求項６】
前記凹凸領域の前記凸部は、単位面積あたりの個数が４個／ｃｍ２以上、２０個／ｃｍ２以下である請求項１から５のいずれか１項に記載の吸収性物品。
【請求項７】
前記凹凸領域が、スパンボンド不織布、メルトブローン不織布、スパンボンド不織布を順に積層した３層構造のＳＭＳ不織布が２枚重ねられてなり、
前記２枚重ねのＳＭＳ不織布のそれぞれは、第１面側にエンボス面を有し、前記第１面とは反対面の第２面側にフラット面を有し、前記２枚重なったＳＭＳ不織布の対向する面が前記フラット面同士である請求項１から６のいずれか１項に記載の吸収性物品。
【発明の詳細な説明】
【技術分野】
【０００１】
本発明は立体ギャザーを有するおむつ等の吸収性物品に関する。
【背景技術】
【０００２】
おむつの立体ギャザーは、おむつを人体に装着した際、寝返りや歩行等の動作時における排泄物の横漏れを防止するために有用である。
特許文献１には、吸収層と防漏部とを備えた吸収性本体の両側部に、一対のサイド防漏部を有する吸収性物品が開示されている。一対のサイド防漏部のそれぞれは、少なくとも一部が不織布からなる第１層と、シート状物からなる第２層とが部分的に接合されて多数の接合部を有する立体シートからなる。立体シートは第１層が接合部以外の部分において第１層側に突出して多数の凸部を成している。凸部及び接合部は、交互にかつ一方向に列をなして配置され、さらにその列が多列に配置されている。一対のサイド防漏部のそれぞれは、吸収層に向けられる面および折り返している外側の面が立体シートの第１層側の面からなっている（引用文献１の請求項１、図２等参照。）。
【０００３】
特許文献２には、液保持性の吸収層および液不透過性の防漏層を備え、防漏部が長手方向に沿って配されている吸収性物品が開示されている。防漏部は、長手方向または幅方向の断面形状が波形に成された立体シートを、吸収性物品の長手方向に沿って配設したものである（引用文献２の請求項６等参照。）。
【０００４】
特許文献３には、吸収性本体の長手方向に沿う両側部に沿って、側方カフスが配されている吸収性物品が開示されている。側方カフスは肌当接面側に起立するようになっている。各側方カフスの自由端近傍には、吸収性本体の幅方向に伸縮する面状の複合伸縮部が配され、幅方向に伸縮すると横しわが生じるようになっている（引用文献３の請求項１、段落［００１７］等参照。）。
【先行技術文献】
【特許文献】
【０００５】
【特許文献１】特開２００８−１４８８１９号公報
【特許文献２】特開２００３−１５３９４６号公報
【特許文献３】特開２００８−１３６６６７号公報
【発明の開示】
【発明が解決しようとする課題】
【０００６】
立体ギャザーは、その幅方向の先端部などに配された弾性体の伸縮により不規則なしわが生じる。しかし、そのしわが有意な機能を発現することは見出されていない。
また立体ギャザーは腿内側との間の摩擦が大きく、歩行動作や立ち座りなどで複雑に動く足に対して、足との摩擦力により立体ギャザーが引っ張られてしまう。そのため、足回りと立体ギャザーとの間に隙間が生じる可能性があり、改善の余地があった。
特許文献１に記載された吸収性物品では、最も隣接する凸部間にほとんど隙間がなく、シート全体のおよそ半分が凸部で占められている。このため、凸部と肌との接触面積が大きくなり過ぎ、歩行動作や立ち座りなどで複雑に動く足に対して大きな摩擦抵抗が生じ、足の動きに立体ギャザーが引っ張られてしまうことがあった。そのため、足回りと立体ギャザーとの間に隙間ができるため、漏れの原因になり、改善の余地があった。
また特許文献２および３に記載された吸収性物品では、凸部が長手方向に延びていて、また、襞が長手方向に延びていて、肌との接触による摩擦抵抗が大きくなっていた。そのため、上記同様に、足の動きによって立体ギャザーが引っ張られるため、足回りと立体ギャザーとの間に隙間ができて液漏れの原因になり、改善の余地があった。
【０００７】
本発明は、足回りと立体ギャザーとの隙間ができないように立体ギャザーのフィット性を高めるとともに、足が滑らかに動かせる吸収性物品を提供することを課題とする。
【課題を解決するための手段】
【０００８】
本発明は、液透過性の表面シートと、裏面シートと、両シート間に挟まれた吸収体とを有する吸収性本体と、前記吸収性本体の幅方向の両側で長手方向に起立可能に配された一対の立体ギャザーとを備えた吸収性物品であって、
前記一対の立体ギャザーは、それぞれの外側に、凹部と凸部とが前記長手方向および前記立体ギャザーの幅方向に交互に繰り返し配された凹凸領域を有し、
前記凸部を構成する不織布の繊維が前記長手方向に配向していて、
前記凹凸領域は、前記吸収性物品の着用時に着用者の股下部が位置する前記吸収性物品の中間部に少なくとも配されている吸収性物品を提供するものである。
【発明の効果】
【０００９】
本発明の吸収性物品は、足回りと立体ギャザーとの隙間ができないように立体ギャザーのフィット性を高めるとともに、足が滑らかに動かせるという優れた効果を奏する。
【図面の簡単な説明】
【００１０】
【図１】本発明の使い捨ておむつにおける好ましい一実施形態として、テープ式の大人用展開型の使い捨ておむつを示した図面である。（ａ）は展開型使い捨ておむつを展開した状態の肌面側（表面シート側）から模式的に示した展開平面図である。（ｂ）は（ａ）の股下部のＸ方向のＩ−Ｉ断面を示した縦断面図である。
【図２】立体ギャザーおよびフラップ部の好ましい一例を模式的に示した図１（ａ）のＩＩ−ＩＩ断面の拡大縦断面図である。
【図３】立体ギャザーを伸ばした状態における凹凸領域の好ましい実施形態の一例を示した平面図である。（ａ）は立体ギャザーの上部側（起立端部４１ｅ側）で後方部から中間部を経て前方部に凹凸領域を配した一例を示した平面図である。（ｂ）は立体ギャザーの上部側（起立端部４１ｅ側）で中間部から後方部の一部および前方部の一部に凹凸領域を配した一例を示した平面図である。（ｃ）は立体ギャザーの全域で後方部から中間部を経て前方部に凹凸領域を配した一例を示した平面図である。
【図４】凸部の配置例を示した平面図であり、（ａ）、（ｂ）は千鳥配置の好ましい一例を示した平面図であり、（ｃ）は直交配置の一例を示した平面図ある。
【図５】凸部の高さの測定方法を説明するための凹凸領域を示した断面図である。
【図６】凸部の好ましい配置例を示した縦断面図である。
【図７】凹凸領域の好ましい配置例を示した展開平面図である。
【図８】２層構造の凹凸領域の好ましい実施形態の一例を幅方向断面で示した断面図である。
【発明を実施するための最良の形態】
【００１１】
本発明に係る吸収性物品としての使い捨ておむつの好ましい一実施形態（第１実施形態）について、図１および図２を参照して以下に説明する。
【００１２】
本明細書においては、特に断らない限り、人体に接触する側を肌当接面側といい、これと反対側を非肌当接面側という。装着時に装着者の腹側部から排泄部対応領域を介して背側部にわたる方向を、吸収性物品の長手方向（Ｙ方向）という。この長手方向と直交する方向を幅方向（Ｘ方向）という。また、吸収性物品の長手方向および幅方向に垂直な方向を厚み方向（Ｚ方向）といい、Ｚ方向における長さを厚みという。
【００１３】
図１は、本実施形態のテープ型おむつ１０の、展開状態を表している。ここで、展開状態とは、各部を伸長させて吸収性物品を平面状に拡げた状態をいう。
【００１４】
図１および図２に示すように、テープ型おむつ１０は、吸収性本体４を備え、実質的に縦長に成されている、展開型の使い捨てタイプのテープ型おむつである。吸収性本体４は、肌当接面側に配された液透過性の表面シート１、非肌当接面側に配された液不透過性の裏面シート２、および両シートの間に介在配置された液保持性の吸収体３を有する。
テープ型おむつ１０は、装着時において装着者の腹部領域に当接する前方部Ｆ、装着者の股下部領域に位置する中間部Ｃ、装着者の臀部に当接する後方部Ｒに区分される。テープ型おむつ１０の形状から明確に各部位が区分できないときは、テープ型おむつ１０を長手方向（Ｙ方向）に３等分する。そして装着者の腹側寄りに配される領域から順に、前方部Ｆ、中間部Ｃ、後方部Ｒと区分する。以下、テープ型おむつ１０は単におむつ１０ともいう。
【００１５】
表面シート１の肌当接面側には、その長手方向（Ｙ方向）両側部から幅方向（Ｘ方向）外方に向けて一対のサイドシート７が配されている。
【００１６】
各サイドシート７の幅方向の吸収性本体４側の側端部には立体ギャザー弾性体７１が配されている。このサイドシート７および立体ギャザー弾性体７１によって、表面シート１の肌当接面側に立体ギャザー４１が構成されている。
【００１７】
すなわち、吸収性本体４の長手方向の両側部には、一対の立体ギャザー４１のそれぞれの一側縁が固定されて、立体ギャザー４１の起立基部４１ｂを成している。起立基部４１ｂとは、立体ギャザー４１の吸収性本体４側の立ち上がる元の部分をいう。それぞれの立体ギャザー４１は、おむつ１０の長手方向（Ｙ方向）に延びる帯状の形状を有している。立体ギャザー４１の自由端４１ｆは、サイドシート７を長手方向に沿って折り返されている。その折り返されたサイドシート７間に１本または複数本の立体ギャザー弾性体７１が伸長状態で固定されて配されている。そのため、立体ギャザー４１は、自由端４１ｆ側を折り返した部分に配された立体ギャザー弾性体７１の収縮力によって、自由端４１ｆ側が、表面シート１等から離間して装着者の肌面側に向かって立ち上がる。自由端４１ｆとは、立体ギャザー４１の幅方向で起立基部４１ｂとは反対側の端辺をいう。
また図２に示すように、立体ギャザー４１において、立体ギャザー弾性体７１を有する部分を弾性部４２といい、弾性部４２以外の部分を起立部４３という。
なお、立体ギャザー４１は、図１（ａ）では倒伏されている状態を示し、図１（ｂ）では起立した状態を示した。また、図１（ａ）では立体ギャザー弾性体７１の図示は省略した。
【００１８】
上記一対の立体ギャザー４１は、それぞれが起立した状態で対向する面（内側）とは反対の面（外側）の起立端部４１ｅ側の１／２の領域に、凹凸領域４４を有している。ここで、起立端部４１ｅとは、起立部４３の起立基部４１ｂとは反対側の端部をいう。このように凹凸領域４４は、起立部４３のみならず弾性部４２に配されてもよい。凹凸領域４４は、凹部４５と凸部４６とが少なくとも立体ギャザー４１の幅方向および長手方向に、交互に繰り返し配された領域である（図２参照）。
凹凸領域４４は、吸収性物品のおむつ１０を着用したときに着用者の股下部が位置する中間部Ｃに少なくとも配されている。または着用者の臀部側が位置する吸収性物品１０の後方部Ｒから中間部Ｃを経て着用者の腹側が位置する吸収性物品１０の前方部Ｆまで配されていても好ましい。凹凸領域４４の配置については後に詳細を説明する。
【００１９】
さらに凸部４６を構成する不織布の繊維は長手方向に配向していている。
【００２０】
繊維配向性は、繊維の配向角と配向強度からなる概念である。
繊維の配向角は、色々な方向性を有する複数の繊維が全体としてどの方向に配向しているかを示す概念で、繊維の集合体の形状を数値化している。繊維の配向強度は、配向角を示す繊維の量を示す概念であり、ＭＯＲ値で示される。ＭＯＲ値は、１．０５未満では、ほとんど配向しておらず、１．０５以上で配向を有しているといえる。
ＭＯＲ値について本実施形態において一例を示すと、凸部４６のＭＯＲ値は、１．０５以上が好ましく、１．１以上がより好ましく、１．２以上がさらに好ましい。そして、２．０以下が好ましく、１．８以下がより好ましく、１．５以下がさらに好ましい。より具体的には、１．０５以上２．０以下が好ましく、１．１以上１．８以下がより好ましく、１．２以上１．５以下がさらに好ましい。
上記のような配向強度、配向角に設定することで、厚み方向の荷重をしっかりと受け止め、高荷重下であっても、凸部４６が潰され難くなる。これによって肌面との接触面積を低減でき、着用者の足の滑らかな動きが実現できる。
【００２１】
上記おむつ１０は、立体ギャザー４１の外側に、上記の凹凸領域４４を有していることで、立体ギャザー４１の肌面との接触面積を低減することができる。これによって、着用者の足の内股と擦れる立体ギャザー４１の部分が点接触に近い状態で接触されるので、擦れによる摩擦を低減することができる。すなわち、歩行したり、足をばたつかせたりという複雑な動きをする着用者の足に対して、滑るようになるために立体ギャザー４１の過度の移動が抑えられるようになる。特に、足の動きで多い股関節を起点とした足の前後運動、例えば、歩行や、足を前後にばたつかせる運動では、立体ギャザー４１の擦れる方向が長手方向になる。このような状況において、凸部４６を構成する不織布の繊維が長手方向に配向しているため、長手方向に対して凸部４６が潰れ難くなる。したがって、前後方向の足の動作に対して、凸部４６の形状が維持され、立体ギャザー４１との摩擦が少なくなるので、立体ギャザー４１が引っ張られることなく足の動作が滑らかにできる。足の動作において最も動くのは股下部である。凹凸領域４４が少なくとも股下部に対応する中間部Ｃに配されていることから、股下部の激しい足の動きに対しても、立体ギャザー４１が引っ張られることが抑制されるので、効率的な滑らかな足の動作が可能になる。
これによって、肌に立体ギャザー４１の跡がつきにくくなる。
【００２２】
上記構成の吸収性物品のおむつ１０は、図３（ａ）から（ｃ）に示すように、立体ギャザー４１の外側上部（起立端部４１ｅ側）に凹凸領域４４が配されていることが好ましい。
足と立体ギャザー４１との擦れは、実際には立体ギャザー４１の起立端部４１ｅ側の１／２の領域に生じる。このため、立体ギャザー４１の起立端部４１ｅ側の１／２の領域に凹凸領域４４を配することで、着用者の足の動きが滑らかになるという効果が得られる。
凹凸領域４４は、凹部４５と、凸部４６とが長手方向（ＹＧ方向）および幅方向（ＸＧ方向）に交互に繰り返し配されたものである。上記の凸部４６の配置は千鳥配置である。また、凸部４６間が凹部４５となる。なお、図面では、凸部４６の平面視した外形を正方形で示したが、その平面視した外形は、円形、長円形、楕円形、長方形等の正方形以外の形状であってもよい。また、凸部４６には、内部空間４６Ｋ（前記図２参照）を有していてもよい。
図３（ａ）に示した立体ギャザー４１の凹凸領域４４は、後方部Ｒから中間部Ｃを経て前方部Ｆに達するように、かつ立体ギャザー４１の幅方向における起立端部４１ｅ側の１／２の領域に配されている。
図３（ｂ）に示した立体ギャザー４１の凹凸領域４４は、中間部Ｃを中心に後方部Ｒおよび前方部Ｆのそれぞれの一部に達するように、かつ立体ギャザー４１の幅方向における起立端部４１ｅ側の１／２の領域の半分に配されている。
図３（ｃ）に示した立体ギャザー４１の凹凸領域４４は、後方部Ｒから中間部Ｃを経て前方部Ｆに達するように、かつ立体ギャザー４１の幅方向の全域に配されている。
【００２３】
次に、凸部４６の千鳥配置について説明する。図４に示すように、立体ギャザー４１の長手方向（ＹＧ方向）および幅方向（ＸＧ方向）に凸部４６は交互に繰り返し配されている。
例えば、図４（ａ）に示すように、それぞれの凸部４６が正六角形の中心と各頂点に位置するように配されている。言い換えれば正三角形の頂点に位置するように配されている。このような配置が最も好ましい。
また、図４（ｂ）に示すように、それぞれの凸部４６が正方格子を４５度回転させた格子点に位置するように配されている。
なお、図４（ｃ）に示すように、直交格子（正方格子）の交点のそれぞれの凸部４６が位置するように配されていても可能である。すなわち、直交配置である。
【００２４】
上記のように、隣接する凸部４６間の間隔を調整して凸部４６を千鳥配置とすることで、肌への接触面積を有効に減らすことができる。隣接する凸部４６同士の間隔が広くなると凹部４５と肌面とが接触しやすくなり、反対に隣接する凸部４６同士の間隔が狭くなると凹凸領域４４の凸部４６の肌面への接触面積が増加するが、凸部４６が直交配置であると、直交格子の対角方向に配された凸部４６同士の間隔が少し広くなるので、凹部４５が肌面に接触する可能性が高くなる。
以下の説明においては、立体ギャザー４１の長手方向（ＹＧ方向）は吸収性物品の長手方向（Ｙ方向）と同様の方向である。また、立体ギャザー４１の幅方向（ＸＧ方向）は、立体ギャザー４１が倒伏した状態で吸収性物品の幅方向（Ｘ方向）と同様の方向である。
【００２５】
凹凸領域４４の凸部４６は、肌面との滑りを良くするという観点から、単位面積あたりの個数が４個／ｃｍ２以上が好ましく、６個／ｃｍ２以上がより好ましく、８個／ｃｍ２以上がさらに好ましい。そして、肌面との摩擦抵抗を抑えるという観点から、単位面積あたりの個数が２０個／ｃｍ２以下が好ましく、１６個／ｃｍ２以下がより好ましく、１２個／ｃｍ２以下がさらに好ましい。より具体的には、単位面積あたりの個数が４個／ｃｍ２以上２０個／ｃｍ２以下が好ましく、６個／ｃｍ２以上１６個／ｃｍ２以下がより好ましく、８個／ｃｍ２以上１２個／ｃｍ２以下がさらに好ましい。
単位面積当たりの凸部４６の個数が多すぎると、肌との摩擦が高くなり、凹凸領域４４を配した効果が低くなる。また単位面積当たりの凸部４６の個数が少なすぎると、凸部４６間の凹部４５が肌と接触するようになり、肌との摩擦が高くなり、凹凸領域４４を配した効果が得られない。
【００２６】
凸部４６の高さＨは、図５に示すように、立体ギャザー４１を平面Ｓｆ上に伸ばした状態で、平面Ｓｆ上からの凸部４６の頂部４６Ｔまでの高さＨｔから立体ギャザー４１の凹凸領域４４を除いた領域４７の厚さＨｂを引いた値とする。
【００２７】
上記凸部４６の高さは、足の動きなどに対して低接触面積を維持するために凹部との接触を防ぐという観点から、１ｍｍ以上であり、２ｍｍ以上が好ましく、３ｍｍ以上がより好ましい。そして、足の動きに対して凸部が倒れることを防ぐという観点から、１０ｍｍ以下であり、８ｍｍ以下が好ましく、６ｍｍ以下がより好ましい。より具体的には、１ｍｍ以上１０ｍｍ以下であり、２ｍｍ以上８ｍｍ以下が好ましく、３ｍｍ以上６ｍｍ以下がより好ましい。
【００２８】
また、図６に示すように、立体ギャザー４１が伸ばされた状態で、凸部４６の高さは、立体ギャザー４１の幅方向における自由端４１ｆ側から起立基部４１ｂ側に向かって順次高くなっていることが好ましい。
おむつ１０は立体ギャザー４１が鼠蹊部（図示せず）に当たるように装着される。そのため、自由端４１ｆ側の凸部４６ｆの高さが起立基部４１ｂ側の凸部４６ｂよりも低いと、鼠蹊部において常に凸部４６を潰すような力がかかる。しかし、肌面に対する凹凸領域４４の摩擦が小さくなるので、立体ギャザー４１が引っ張られることがなくなるので、足回りとの間に隙間を生じにくくなる。それとともに、立体ギャザー４１によって動きを阻害するような抵抗を受けることなくなるので、着用者の足の動きは滑らかになる。逆に、自由端４１ｆ側の凸部４６ｆの高さが起立基部４１ｂ側の凸部４６ｂよりも高いと、鼠蹊部において常に凸部４６を潰すような力がかかりやすくなる。このため、立体ギャザー４１と足回りとの間に隙間が生じやすくなる。また着用者の足の動きが立体ギャザー４１に引っかかるようになる。
【００２９】
図７に示すように、立体ギャザー４１の両端部よりさらに長手方向のそれぞれの領域と表面シート１とが固定されている立体固定領域３３、３４の長手方向の間に、凹凸領域４４が配されていることが好ましい。また、図示したように、左右両側に、同様に、立体固定領域３３、３４間に、凹凸領域４４が配されていることが好ましい。
このように、立体ギャザー４１が倒伏した状態では、立体固定領域３３、３４に凹凸領域４４があると、不必要に肌との間に隙間を生じることになる。そのため、立体固定領域３３、３４間に凹凸領域４４を配することで、上記隙間が生じないようになる。
【００３０】
図８に示すように、凹凸領域４４は、スパンボンド不織布、メルトブローン不織布、スパンボンド不織布を順に積層した３層構造のＳＭＳ不織布６１、６２を２枚重ねた構成とすることが好ましい。例えば、立体ギャザー４１に、ＳＭＳ不織布６１を用い、それにＳＭＳ不織布６２を重ねて用いて凹凸領域４４とする。すなわち、２枚重ねたＳＭＳ不織布の一方のＳＭＳ不織布６１で立体ギャザー４１が構成され、他方のＳＭＳ不織布６２で凹凸領域４４が構成される。このように、２枚構造とすることで、立体ギャザー４１は、凹凸領域４４で発生する摩擦力よりも強くなり、せん断力による剥離により凹凸領域４４の凸部４６が壊れることが防げる。通常、接合強度を高めるには、熱融着の熱量やホットメルト接着剤量を増やしていた。しかし、このような手法では、融着部や接着部が硬くなり、立体ギャザー４１を硬くすることになっていた。そこで、ＳＭＳ不織布６１、６２のフラット面同士を接着することで、少ない接着剤量で強固な接着力を実現することができる。
【００３１】
具体的には、２枚重ねのそれぞれのＳＭＳ不織布６１、６２は、一方の面にエンボス面を有し、他方の面にフラット面を有する。エンボス面にはエンボス部６３、６４による小さな凹部が生じている。エンボス部６３、６４については後述する。
例えば、上記２枚重ねの一方のＳＭＳ不織布６１の表面６１Ｓｆがフラット面になっていることが好ましく、その裏面６１Ｓｂがエンボス面になっていることが好ましい。一方のＳＭＳ不織布６１の表面６１Ｓｆに他方のＳＭＳ不織布６２がその裏面６２Ｓｂを重ねて配されている。ＳＭＳ不織布６１、６２同士が接合しやすいように、他方のＳＭＳ不織布６２の裏面６２Ｓｂはフラット面であることが好ましい。また、他方のＳＭＳ不織布６２の表面６２Ｓｆはエンボス面になっていることが好ましい。
上記フラット面とは、エンボス面に比べてエンボス部の凹凸が小さい状態の不織布の面をいう。
エンボス面とは、エンボス加工によるエンボス部６３、６４を有する面をいう。ここで言うエンボス部６３、６４とは、ＳＭＳ不織布に配された、その周囲よりも厚みが薄く高密度化され、繊維同士が融着している部分であり、当該部分は下層まで及んでいないものである。したがって、エンボス部６３、６４は言い換えれば、ＳＭＳ不織布に配され、反対側の面にまで及ばない高密度化融着部である。
【００３２】
他方のＳＭＳ不織布６１には凹凸領域４４の凹部４５と凸部４６が配されている。したがって、他方のＳＭＳ不織布６２のフラット面は凸部４６が配されていない裏面６２Ｓｂになる。また、凸部４６には内部空間４６Ｋが配されている。
ＳＭＳ不織布６１、６２はフラット面同士が対向するように２枚重ねにして配されていて、接合されている。この接合には、熱融着またはホットメルト接着剤等の接着剤が用いられることが好ましい。また、接合は、立体ギャザー４１の風合いを保つため、線状の接合または点状の接合が好ましく、点状の接合がより好ましい。また、比較的平滑なフラット面同士を接合するので、接触面積が大きくより確実に接合させることができるため、接合強度が得られやすく、点接合であっても十分な接合強度が得られる。また凹凸領域４４が２枚重ねになっているので、凹凸領域４４の形状がくずれにくく形状安定性に優れる。しかも、立体ギャザーが硬くならず、柔らかい状態を維持することができる。
【００３３】
上記凹凸領域４４は、凹凸形状の形状安定性のためには、上記説明したように、２層構造が好ましい。その製造方法は以下のようになる。
立体ギャザーの形状に成形した第１層の不織布に例えばスチールマッチエンボス加工によって凹凸領域を形成する。立体ギャザーの形状に成形した第２層の不織布に立体ギャザー弾性体を配する。そして立体ギャザー弾性体を伸長した状態で、第２層の不織布に第１層の不織布を例えばホットメルト接着剤で貼り合わせる。
スチールマッチエンボス加工では、上下ギアの噛み合わせ部にシートを通過させて凹凸を形成する。ギア形状や上下ギアのクリアランス変更により、凹凸形状や高さ、凹凸の配置（連続配置または千鳥配置）を自由に設定できる。
【００３４】
上記の立体ギャザー４１を成すサイドシート７としては、ＳＭＳ不織布、ＳＭＭＳ不織布等の耐水性の高い撥水性のＳＭＳ系不織布が挙げられる。また、スパンボンド不織布、スパンボンド不織布等の不織布と透湿性または非透湿性の樹脂フィルムとの積層体、等が挙げられる。ＳＭＳ不織布はスパンボンド−メルトブローン−スパンボンド積層不織布の略称であり、ＳＭＭＳ不織布はスパンボンド−メルトブローン−メルトブローン−スパンボンド不織布の略称である。
【００３５】
おむつ１０の腹側部Ｆおよび背側部Ｒには、サイドシート７と外装シート８とが積層されて幅方向外方に張り出した背側フラップ部１７および腹側フラップ部１８が配されている。背側フラップ部１７にはファスニングテープ１９が配されている。ファスニングテープ１９は、フックテープが好ましく、粘着テープでもよい。またはフックテープと粘着テープを組み合わせた物であっても良い。ファスニングテープ１９を前方部Ｆに設けたテープ貼付部２０に貼付して、おむつを装着固定することができる。テープ貼付部２０は、例えば通気性のある不織布タイプがムレを防止しするために好ましい。またはフィルムタイプや織物とフィルムをラミネートしたものであってもよい。
上記ファスニングテープ１９およびテープ貼付部２０によっておむつ１０を着用者に装着固定する。このとき、おむつ１０の長手方向中央を緩やかに内側に折り曲げて、吸収体３が装着者の臀部から下腹部にわたって沿うように装着する。これにより排泄物が的確に吸収体３に吸収保持される。本実施形態のおむつ１０においては、さらに機能的な構造部材やシート部材等を設けてもよい。
【００３６】
一方、裏面シート２の非肌当接面側には、その全面を覆うように不織布からなる外装シート８が配されていてもよい。外装シート８によって、おむつ１０の外側は柔らかな風合いで肌触りの良いものとなる。
【００３７】
表面シート１は、肌触りが良く液透過性の部材からなる。例えば、親水性不織布が好ましく、エアスルー不織布、ポイントボンド不織布、スパンレース不織布、親水処理を施したスパンボンド不織布やＳＭＳ系不織布が挙げられる。その不織布の繊維は、原料樹脂にポリプロピレンやポリエチレンテレフタレートを用いた単繊維や、ポリプロピレンとポリエチレンの複合繊維、ポリエチレンテレフタレートとポリエチレンの複合繊維等であって親水化処理が施された繊維やレーヨンやアクリル系繊維のような親水性繊維が好ましい。また、表面シート１の股下部分には、表面シート１の非肌当接面側に親水性穴開きフィルムや親水性不織布が部分的に重ねられていてもよい。
【００３８】
裏面シート２は、防水性があり透湿性を有していれば特に限定されない。吸収体３の非肌当接面側で液漏れを防ぐ観点から、液難透過性の部材からなる。例えば液不透過性の多孔性フィルムが挙げられる。この多孔性フィルムは、撥水性の熱可塑性樹脂と、炭酸カルシウム等からなる微小な無機フィラーまたは相溶性のない有機高分子等とを溶融混練してフィルムを形成し、該フィルムを一軸または二軸延伸して得られる。熱可塑性樹脂としては、ポリオレフィンが挙げられる。該ポリオレフィンとしては、高密度ないし低密度ポリエチレン、線状低密度ポリエチレン、ポリプロピレン、ポリブテン等が挙げられ、これらを単独でまたは混合して用いることができる。また、ムレ防止の観点から透湿性を有することが好ましい。
【００３９】
吸収体３は、表面シート１および裏面シート２よりも長手方向（Ｙ方向）および幅方向（Ｘ方向）の長さが短い。吸収体３は、その長手方向を表面シート１および裏面シート２の長手方向に一致させ略中央に配されている。これら表面シート１、裏面シート２および吸収体３は、例えばホットメルト接着剤等によって接合され、吸収性本体４を成している。
【００４０】
吸収体３は、液吸収性および液保持性を有するものであれば、通常吸収性物品に用いられるものを用いることができる。例えば、繊維集合体またはこれと吸水性ポリマーとを併用させたもの等が挙げられる。繊維集合体を構成する繊維としては、パルプ繊維等の親水性天然繊維、レーヨンなどの再生繊維、合成繊維（好ましくは親水化処理を施したもの）等が挙げられる。パルプ繊維としては、針葉樹クラフトパルプ、広葉樹クラフトパルプ等の木材パルプや木綿パルプ、ワラパルプ等の非木材パルプ等の天然セルロース繊維などが挙げられる。合成繊維としてはポリエチレンやポリプロピレンなどのポリオフィレン系樹脂、ポリエチレンテレフタレート等のポリエステル系樹脂、ポリビニルアルコール樹脂等の合成樹脂からなる単繊維、これらの樹脂を２種以上含む複合繊維が挙げられる。またアセテートなどの半合成繊維を一部に含んでもよい。坪量は特に限定されない。吸水性ポリマーとしては、この種の物品に通常使用されている各種のポリマー材料を用いることがでる。吸水性ポリマーは、自重の２０倍以上の水または生理食塩水を吸収し保持し得る性能を有するような超吸収性高分子化合物であることが好ましい。
【００４１】
吸収体３と裏面シート２との間には、複数本の吸収体ギャザー弾性体７３が伸長状態で固定されていてもよい。その固定には例えば接着剤が用いられ、その接着剤には、通常のホットメルト接着剤が挙げられる。伸長状態で固定された吸収体ギャザー弾性体７３により、吸収体３に伸縮性が付与され、吸収体ギャザー（図示せず）が形成されている。吸収体ギャザーは任意の長手方向（Ｙ方向）範囲に延在させることができる。また、吸収体ギャザー弾性体７３は、長手方向に収縮力を発揮できれば、必ずしも長手方向に平行に配設される必要はなく、湾曲していても良い。
また上記吸収体ギャザー弾性体７３によって吸収体３の側部が伸縮するため脚周り、特に大腿部付け根周りのフィット性が向上し、その部分の漏れを防止することができる。
【００４２】
立体ギャザー弾性体７１および吸収体ギャザー弾性体７３の形成素材としては、例えば、スチレン−ブタジエン、ブタジエン、イソプレン、ネオプレン等の合成ゴムが挙げられる。また、天然ゴム、エチレン酢酸ビニル（ＥＶＡ）、伸縮性ポリオレフィン、ポリウレタン等を挙げることができる。弾性体の形態としては、断面が矩形、正方形、円形、楕円形又は多角形状等の糸状（糸ゴム等）のものを挙げることができる。もしくは紐状（平ゴム等）のもの、またはマルチフィラメントタイプの糸状のもの等を好ましく用いることができる。
【００４３】
一方、上記吸収体３の側部の幅方向外側におけるサイドシート７と裏面シート２との間に位置する部位にはレッグギャザー４８が配されていてもよい。レッグギャザー４８には、左右の大腿部付け根周りを伸縮可能にするレッグギャザー弾性体７５がそれぞれ伸長状態で接着または固定されている。このように各サイドシート７の幅方向外方にはそれぞれレッグギャザー弾性体７５が配されることでレッグギャザー４８が形成される。このレッグギャザー弾性体７５は、上記立体ギャザー弾性体７１および吸収体ギャザー弾性体７３と同種のものを用いることができる。
【００４４】
上記各弾性体７１、７３および７５の伸縮によっておむつ１０は、装着者の運動等による体形変化にもよく追従してフィットし、液体等の臀部側および腹側からの漏れを効果的に防止し得る。
【００４５】
また、被覆シート５（図１（ｂ）参照）が吸収体３の肌当接面側を被覆しても良い。
【００４６】
以上、本発明をその好ましい実施形態に基づき説明したが、本発明は前記実施形態に制限されない。例えば、表面シート１の幅は裏面シート２の幅よりも狭くても良く、その場合、立体ギャザー４１の起立基部４１ｂは裏面シート２に固定される場合もある。
【００４７】
本発明の吸収性物品は、展開型使い捨ておむつに限らず、立体ギャザーを使用しているパンツ型使い捨ておむつや尿取りパッドであってもよい。また成人用に限らず、乳児用等であってもよい。さらに、立体ギャザーを使用して用いる吸収性物品であれば、いかなる吸収性物品にも適用できる。
【００４８】
以下に、上述の積層不織布の製造方法により積層不織布を製造した実施例、および比較例により本発明をさらに詳細に説明する。本発明はこれらの実施例に限定されるものではない。
【００４９】
（実施例１）
実施例１のおむつ１０として、図１に示すものを作製した。
試験用のおむつ１０を次の方法により作製した。
おむつ１０には、花王株式会社製のメリーズ（登録商標）２０１５年製を用いた。そのおむつ１０の立体ギャザーを加熱ないし冷却することでホットメルトの接着機能を低減させてして取り外し、ホットメルト部を再加熱して下記の実施例１から５の立体ギャザーを取り付けた。
実施例１の立体ギャザーは、以下のようにして作製した。
実施例１は、図３の（ａ）に示した立体ギャザーを作製した。
まず、ポリプロピレンのＳＭＳ不織布を、１２０℃に加熱された互いの凸部が噛み合った２本のロール間を通し、凹凸形状を部分的に付与した。凹凸の大きさ(高さ)については、２本のロールの噛み合わせ部のクリアランスを変更することで適宜調整した。このように得られた凹凸シートを適所に貼り合せて作製した立体ギャザーをおむつに配した。
（実施例２）
実施例２は、実施例１において、図３の（ｂ）に示したように、立体ギャザー４１の起立端部４１ｅ側の１／２の領域に、中間部Ｃを中心に後方部Ｒおよび前方部Ｆのそれぞれの一部に達するように配した凹凸領域４４を作製した以外、実施例１と同様の方法で立体ギャザーを作製し、おむつに配した。
（実施例３）
実施例３は、実施例１において、図３の（ｃ）に示したように、立体ギャザー４１の全域に、後方部Ｒから中間部Ｃを経て前方部Ｆまで配して凹凸領域４４を作製した以外、実施例１と同様の方法で立体ギャザーを作製し、おむつに配した。
（実施例４）
実施例４は、実施例２において、凸部を直交配置させた以外、実施例２と同様の方法で立体ギャザーを作製し、おむつに配した。
（比較例１）
比較例１は、図示はしていないが、実施例１において、以下の凹凸領域を作製した。この凹凸領域は、立体ギャザー４１の起立端部４１ｅ側の１／２の領域に、中間部Ｃを中心に後方部Ｒおよび前方部Ｆのそれぞれの一部に達するように、長手方向に連続してなる溝状の凹部と畝状の凸部とが幅方向に繰り返し配したものである。このような凹凸領域を作製した以外、実施例１と同様の方法で立体ギャザーを作製し、おむつに配した。
（比較例２）
比較例２は、図示はしていないが、実施例１において、以下の凹凸領域を作製した。この凹凸領域は、立体ギャザー４１の起立端部４１ｅ側の１／２の領域に、中間部Ｃを中心に後方部Ｒおよび前方部Ｆのそれぞれの一部に達するように、幅方向に連続してなる溝状の凹部と畝状の凸部とが長手方向に繰り返し配したものである。このような凹凸領域を作製した以外、実施例１と同様の方法で立体ギャザーを作製し、おむつに配した。
【００５０】
＜フィット性の評価＞
フィット性の評価は以下のようにして行った。評価を行いやすくするため、各実施例／比較例のサンプルからレッグギャザーを切り取ったものを評価サンプルとした。股関節が可動式のベビーモデルに各評価サンプルを装着し、モデルの足を前後に動かしたり、開脚・閉脚を繰り返したりした際の立体ギャザー４１とモデルの足の隙間の発生などのフィット性を目視で確認した。
Ａ：立体ギャザーの変形が少なく、隙間の発生が無い。
Ｂ：立体ギャザーの変形が僅かに見られ、やや隙間が発生している。
Ｃ：立体ギャザーの変形が見られ、隙間が発生している。
Ｄ：立体ギャザーに大きな変形が見られ、大きな隙間が発生している。
【００５１】
【表１】
2017118960.tif 000003
【００５２】
表１に示した結果から明らかなように、立体ギャザー外側にドット状の凹凸形状を形成することで立体ギャザーと腿内側の摩擦を軽減させ、立体ギャザーと足の間の隙間の発生が抑制されることが示された。
【符号の説明】
【００５３】
１  表面シート
２  裏面シート
３  吸収体
４  吸収性本体
５  被覆シート
７  サイドシート
８  外装シート
１０  テープ型おむつ、おむつ
１７  背側フラップ部
１８  腹側フラップ部
１９  ファスニングテープ
２０  テープ貼付部
３１  接着部
４１  立体ギャザー
４１ｂ  起立基部
４１ｅ  起立端端
４１ｆ  自由端
４２  弾性部
４３  起立部
４４  凹凸領域
４５  凹部
４６  凸部
４６Ｋ  内部空間
６１，６２  ＳＭＳ不織布
６１Ｓｆ，６２Ｓｆ  表面
６１Ｓｂ，６２Ｓｂ  裏面
６３，６４  エンボス部
７１  立体ギャザー弾性体
７３  吸収体ギャザー弾性体
７５  レッグギャザー弾性体
Ｆ  前方部
Ｃ  中間部
Ｒ  後方部
【図１】
2017118960.tif 000004
【図２】
2017118960.tif 000005
【図３】
2017118960.tif 000006
【図４】
2017118960.tif 000007
【図５】
2017118960.tif 000008
【図６】
2017118960.tif 000009
【図７】
2017118960.tif 000010
【図８】
2017118960.tif 000011